(57)【要約】【課題】簡単な構造で安価に多量生産しながら、自動販売機の転倒を確実に防止する。簡単かつ容易に自動販売機の下方に設置する。【解決手段】転倒防止装置は、自動販売機１の前後の脚２をベースプレート４に連結して自動販売機１の転倒を防止する。ベースプレート４は、自動販売機１の前方に突出する突出部４Ａを有し、後端部に後方の脚２を挿入する切欠開口部６を、前部に前方の脚２を固定する固定金具５を備える。切欠開口部６は、脚２のネジ部２Ａを通過できるが、支持プレート部２Ｂを通過できない開口幅で、支持プレート部２Ｂをベースプレート４の下面に位置させて脚２を上方に抜けないようにしている。転倒防止装置は、自動販売機１の後方の脚２をベースプレート４の後端部の切欠開口部６に挿入して連結し、前方の脚２をベースプレート４の前部の上面に載せて、下端の支持プレート部２Ｂを固定金具５でベースプレート４に固定している。【選択図】図３
2006178523.tif 000002
【特許請求の範囲】
【請求項１】
自動販売機(1)の底面にねじ込まれるネジ部(2A)とこのネジ部(2A)の下端に設けた支持プレート部(2B)とを有するボルト状の脚(2)を底面の四隅に連結している自動販売機(1)の前後の脚(2)を、自動販売機(1)が設置される据付面(3)に敷設されるベースプレート(4)に連結して自動販売機(1)の転倒を防止する自動販売機の転倒防止装置であって、
ベースプレート(4)が、自動販売機(1)の前面よりも前方に突出する突出部(4A)を有する全長であって、後端部に自動販売機(1)の後方の脚(2)を挿入して連結する切欠開口部(6)を備えると共に、前部に自動販売機(1)の前方の脚(2)を固定する固定金具(5)を備えており、
切欠開口部(6)は、少なくとも脚(2)のネジ部(2A)を通過できるが、支持プレート部(2B)を通過できない開口幅で、切欠開口部(6)に挿入した脚(2)の支持プレート部(2B)をベースプレート(4)の下面に位置させて脚(2)を上方に抜けないようにしており、
自動販売機(1)の後方の脚(2)をベースプレート(4)の後端部の切欠開口部(6)に挿入して連結すると共に、自動販売機(1)の前方の脚(2)をベースプレート(4)の前部の上面に載せて、下端の支持プレート部(2B)を固定金具(5)でベースプレート(4)に固定し、前後の脚(2)をベースプレート(4)に連結して自動販売機(1)が転倒するのを防止するようにしてなる自動販売機の転倒防止装置。
【請求項２】
自動販売機(1)の底面にねじ込まれるネジ部(2A)とこのネジ部(2A)の下端に設けた支持プレート部(2B)とを有するボルト状の脚(2)を底面の四隅に連結している自動販売機(1)の前後の脚(2)を、自動販売機(1)が設置される据付面(3)に敷設されるベースプレート(4)に連結して自動販売機(1)の転倒を防止する自動販売機の転倒防止装置であって、
ベースプレート(4)が、自動販売機(1)の前面よりも前方に突出する突出部(4A)を有する全長であって、後端部と前部の側縁とに自動販売機(1)の脚(2)を挿入して連結する切欠開口部(6)を備えており、
これらの切欠開口部(6)は、少なくとも脚(2)のネジ部(2A)を通過できるが、支持プレート部(2B)を通過できない開口幅で、切欠開口部(6)に挿入した脚(2)の支持プレート部(2B)をベースプレート(4)の下面に位置させて脚(2)を上方に抜けないようにしており、
さらに、自動販売機(1)の前方の脚(2)には、ネジ部(2A)に沿って上下に移動する挟着リング(17)をネジ部(2A)にねじ込んで備えており、
自動販売機(1)の後方の脚(2)をベースプレート(4)の後端部の切欠開口部(6)に挿入して連結すると共に、自動販売機(1)の前方の脚(2)をベースプレート(4)の前部の側縁の切欠開口部(6)に挿入し、ネジ部(2A)にねじ込まれた挟着リング(17)を降下させて、挟着リング(17)と支持プレート部(2B)とでベースプレート(4)を挟着して固定し、前後の脚(2)をベースプレート(4)に連結して自動販売機(1)が転倒するのを防止するようにしてなる自動販売機の転倒防止装置。
【請求項３】
自動販売機(1)の脚(2)が、ネジ部(2A)と支持プレート部(2B)との境界部分に角柱部(2C)を備えており、この角柱部(2C)の外形を、ネジ部(2A)の外径よりも大きく、かつ、支持プレート部(2B)の外形よりも小さくしており、
切欠開口部(6)が、開口端に設けたスリット部(6A)の先端に角柱部(2C)の嵌入部(6B)を設けた形状であって、スリット部(6A)の幅を、ネジ部(2A)を通過できるが角柱部(2C)を通過できない幅とすると共に、嵌入部(6B)の内形を、角柱部(2C)を通過できるが支持プレート部(2B)を通過できない大きさとしている請求項１または２に記載される自動販売機の転倒防止装置。
【請求項４】
切欠開口部(6)が、複数の嵌入部(6B)を備えており、これらの嵌入部(6B)をスリット部(6A)で連結してなる請求項３に記載される自動販売機の転倒防止装置。
【請求項５】
ベースプレート(4)が、切欠開口部(6)の下面に位置して、支持プレート部(2B)を収納する凹部(7)を備える請求項１または２に記載される自動販売機の転倒防止装置。
【発明の詳細な説明】
【技術分野】
【０００１】
本発明は、自動販売機が転倒するのを防止する自動販売機の転倒防止装置に関する。
【背景技術】
【０００２】
自動販売機は、地震等の災害発生時に倒れないように設置することが望ましい。自動販売機の転倒を防止するための設置基準として、日本工業規格が定める「自動販売機の据付基準」及び、それを補完するために日本自動販売機工業界が定める業界自主基準である「自動販売機の屋内据付基準」により、据付面や据付方法などが規定されている。これらの基準によると、自動販売機を屋外に設置する場合には、原則として固定金具とあと施工アンカーによって自動販売機の脚部を固定する方法が示されており、アンカーボルトが施工できない場合や屋内に設置する場合として、自動販売機の脚部に転倒防止用鉄板を固定する方法が示されている。
【０００３】
転倒防止用鉄板を自動販売機の脚部に固定する方法は、アンカーボルトが施工できない場所や屋内に設置される自動販売機に使用して、自動販売機が転倒するのを有効に防止できる。転倒防止用鉄板を用いる従来の転倒防止装置を図１に示す。この図に示す転倒防止装置は、自動販売機２１が設置される据付面２３の上面であって、自動販売機２１の前後の脚２２の下方に敷設される転倒防止用鉄板２４と、転倒防止用鉄板２４の上面に載せた前後の脚２２を転倒防止用鉄板２４に固定する固定金具２５とを備える。この転倒防止装置は、図１に示すように、自動販売機２１の前後の脚２２を固定金具２５で転倒防止用鉄板２４の上面に固定する。転倒防止用鉄板２４は、自動販売機２１の前面から前方に突出する全長を有しており、この突出部２４Ａによって自動販売機２１が前方に転倒するのを防止している。
【０００４】
この構造の転倒防止装置は、転倒防止用鉄板の上面に、固定金具を用いて自動販売機の前後の脚を固定するので、自動販売機の設置条件によっては、必ずしも全ての自動販売機に設置できない。とくに、後方の脚を転倒防止用鉄板に連結できない欠点がある。たとえば、複数の自動販売機を並設する場合や、側面を壁に接近させて設置する場合には、後方の脚を固定する固定金具を、転倒防止用鉄板に固定できない。それは、隙間なく設置された自動販売機の間から工具等を挿入して固定金具を転倒防止用鉄板に固定するのが極めて困難なためである。したがって、このようなケースでは、予め作業がしやすい場所で自動販売機の四隅の脚に転倒防止用鉄板を固定した後、自動販売機をハンドパレットトラックやクレーン等で持ち上げて所定の位置まで移動させる必要がある。このため、この転倒防止装置は、これらの作業に極めて手間がかかり、簡単には設置できない欠点がある。
【０００５】
とくに、転倒防止装置は、新設の自動販売機だけではなく、既設の自動販売機にも設置されるが、このような場合にも簡単には設置できない。それは、既設の自動販売機を持ち上げた状態で、前後の脚の下方に転倒防止用鉄板を敷設し、さらに、その上に前後の脚を載せた後、前後の脚を固定金具で転倒防止用鉄板に固定する必要があるからである。とくに、複数の自動販売機を並設している場合や、側面を壁に接近させて設置している場合では、自動販売機をハンドパレットトラック等の専用の機材で持ち上げて引き出した後、転倒防止用鉄板に前後の脚を固定金具で固定し、その後、元の位置まで戻す必要がある。このため、この転倒防止装置を既設の自動販売機に設置するには極めて手間がかかる。
【０００６】
このような弊害を解消するために、自動販売機の前後の脚に簡単に取り付けできる転倒防止板が開発されている（特許文献１参照）。
【特許文献１】特開平０６−１８７５５４号公報
【発明の開示】
【発明が解決しようとする課題】
【０００７】
この公報に記載される転倒防止板は、図２に示すように、自動販売機の底部四隅に螺合したねじ軸部３２Ａの下端に六角部と着地部とを設けてなる着地部材３２の前後２個に防止板本体３４を係合する構造としている。この転倒防止板は、防止板本体３４の前後両端側に前後の着地部材３２のねじ軸部３２Ａを前後方向に案内する長孔３５を２個設けており、長孔３５の後端には、着地部材３２の着地部を挿入可能な透孔３６を設けている。さらに、転倒防止板は、両長孔３５の下面に着地部材３２の着地部を収容する凹部３７を設けている。この構造の転倒防止板は、自動販売機を持ち上げて、前後の両着地部材３２を据付面から離した状態で、両着地部材３２の着地部を前後の両透孔３６に挿入し、次に防止板本体３４を後方にずらして前後の着地部を凹部３７に収容して自動販売機の前後の着地部材３２に連結できる。したがって、既設の自動販売機であっても、設置場所から手前に引き出すことなく、前後の着地部材に転倒防止板を連結できる。
【０００８】
しかしながら、この構造の転倒防止板は、防止板本体の内部に着地部材の着地部を収容する凹部を設けるので、防止板本体の構造が複雑になり、製造コストが高くなる欠点がある。さらに、内部に凹部を設けてなる防止板本体は、全体の厚さが厚くなる欠点もある。転倒防止板は、前端部を自動販売機の前面よりも前方に突出させて配置することにより、自動販売機が前方に倒れるのを防止する。したがって、防止板本体が厚くなる構造は、自動販売機の前方に突出する部分の高さが高くなり、この部分でつまずきやすくなる問題点が生じる。
【０００９】
さらに、この構造の転倒防止板の最大の欠点は、自動販売機の下方に設置するときに、自動販売機の全体を持ち上げる必要があることである。この転倒防止板は、前後の両着地部材を据付面から離した状態で、防止板本体の前後に開口した透孔に前後の着地部材の着地部を挿入して連結する。したがって、防止板本体を連結するときには、自動販売機の全体を持ち上げる必要があり、この作業にはハンドパレットトラック等の専用の道具が必要となり、設置に手間がかかる。さらに、前後の両着地部材を防止板本体の前後に開口された透孔から挿入するのにも手間がかかる。重量のある防止板本体を正確な位置に移動させて透孔から着地部材の着地部を挿入する必要があるからである。また、この転倒防止板は、防止板本体に設ける長孔を自動販売機の前後方向に開口しているので、地震等の揺れが生じたときに、長孔の開口方向に沿って着地部材が移動して、自動販売機が前後方向に移動するおそれがある。
【００１０】
さらに、特許文献１の公報には、後側の長孔を防止板本体の後端まで延伸して開口してなる構造（図５参照）が記載され、また、防止板本体の凹部の下面に設ける座板を省略して着地部材の着地部を直接に据付面に着座させる構造（図６参照）も記載される。これらの構造を組み合わせることによって、転倒防止板は、後方の着地部材を持ち上げることなく、後方の着地部材を後側の長孔に挿入できる。この構造の転倒防止板は、着地部材のねじ軸部に螺合したナット材を締め付けて前方の着地部材を長孔に固定できる。しかしながら、この構造の転倒防止板も、前方の着地部材を防止板本体の前方に開口された透孔から挿入するのでこの作業に手間がかかる。また、前方の脚を防止板本体に固定するナット材が緩むと、防止板本体を脚に対して位置決めして固定するものが皆無になるので、前後方向に開口している長孔に沿って着地部材が相対的に移動できる状態となり、防止板本体が前後に移動してしまう欠点もある。この状態になると、地震発生時に自動販売機の転倒を防止できなくなるので、極めて危険である。
【００１１】
本発明は、以上の欠点を解消することを目的に開発されたものである。本発明の重要な目的は、極めて簡単な構造として安価に多量生産しながら、地震が発生したときに自動販売機が転倒するのを確実に防止できる自動販売機の転倒防止装置を提供することにある。
また、本発明の他の大切な目的は、簡単かつ容易に自動販売機の下方に転倒防止板を配置しながら脚部にしっかりと連結して自動販売機の転倒を防止できる自動販売機の転倒防止装置を提供することにある。
【課題を解決するための手段】
【００１２】
本発明の自動販売機の転倒防止装置は、自動販売機１の底面にねじ込まれるネジ部２Ａとこのネジ部２Ａの下端に設けた支持プレート部２Ｂとを有するボルト状の脚２を底面の四隅に連結している自動販売機１の前後の脚２を、自動販売機１が設置される据付面３に敷設されるベースプレート４に連結して自動販売機１の転倒を防止する。
【００１３】
本発明の請求項１の転倒防止装置は、ベースプレート４が、自動販売機１の前面よりも前方に突出する突出部４Ａを有する全長であって、後端部に自動販売機１の後方の脚２を挿入して連結する切欠開口部６を備えると共に、前部に自動販売機１の前方の脚２を固定する固定金具５を備えている。切欠開口部６は、少なくとも脚２のネジ部２Ａを通過できるが、支持プレート部２Ｂを通過できない開口幅で、切欠開口部６に挿入した脚２の支持プレート部２Ｂをベースプレート４の下面に位置させて脚２を上方に抜けないようにしている。この転倒防止装置は、自動販売機１の後方の脚２をベースプレート４の後端部の切欠開口部６に挿入して連結すると共に、自動販売機１の前方の脚２をベースプレート４の前部の上面に載せて、下端の支持プレート部２Ｂを固定金具５でベースプレート４に固定し、前後の脚２をベースプレート４に連結して自動販売機１が転倒するのを防止する。
【００１４】
本発明の請求項２の自動販売機の転倒防止装置は、ベースプレート４が、自動販売機１の前面よりも前方に突出する突出部４Ａを有する全長であって、後端部と前部の側縁とに自動販売機１の脚２を挿入して連結する切欠開口部６を備えている。これらの切欠開口部６は、少なくとも脚２のネジ部２Ａを通過できるが、支持プレート部２Ｂを通過できない開口幅で、切欠開口部６に挿入した脚２の支持プレート部２Ｂをベースプレート４の下面に位置させて脚２を上方に抜けないようにしている。さらに、自動販売機１の前方の脚２には、ネジ部２Ａに沿って上下に移動する挟着リング１７をネジ部２Ａにねじ込んで備えている。この転倒防止装置は、自動販売機１の後方の脚２をベースプレート４の後端部の切欠開口部６に挿入して連結すると共に、自動販売機１の前方の脚２をベースプレート４の前部の側縁の切欠開口部６に挿入し、ネジ部２Ａにねじ込まれた挟着リング１７を降下させて、挟着リング１７と支持プレート部２Ｂとでベースプレート４を挟着して固定し、前後の脚２をベースプレート４に連結して自動販売機１が転倒するのを防止する。
【００１５】
ただし、本明細書における前後方向とは、自動販売機の前後方向を意味するものとする。すなわち、本明細書における前方とは、自動販売機の操作パネル側である正面側を意味し、後方とは、自動販売機の背面側を意味するものとする。
【００１６】
本発明の請求項３の自動販売機の転倒防止装置は、自動販売機１の脚２が、ネジ部２Ａと支持プレート部２Ｂとの境界部分に角柱部２Ｃを備えており、この角柱部２Ｃの外形を、ネジ部２Ａの外径よりも大きく、かつ、支持プレート部２Ｂの外形よりも小さくしている。さらに、切欠開口部６は、開口端に設けたスリット部６Ａの先端に角柱部２Ｃの嵌入部６Ｂを設けた形状であって、スリット部６Ａの幅を、ネジ部２Ａを通過できるが角柱部２Ｃを通過できない幅とすると共に、嵌入部６Ｂの内形を、角柱部２Ｃを通過できるが支持プレート部２Ｂを通過できない大きさとしている。
【００１７】
本発明の請求項４の自動販売機の転倒防止装置は、切欠開口部６が複数の嵌入部６Ｂを備えており、これらの嵌入部６Ｂをスリット部６Ａで連結している。
【００１８】
本発明の請求項５の自動販売機の転倒防止装置は、ベースプレート４が、切欠開口部６の下面に位置して、支持プレート部２Ｂを収納する凹部７を備えている。
【発明の効果】
【００１９】
本発明の自動販売機の転倒防止装置は、極めて簡単な構造として安価に多量生産しながら、地震が発生したときに自動販売機が転倒するのを確実に防止できる特長がある。それは、本発明の転倒防止装置が、自動販売機の据付面に敷設されて前後の脚を連結するベースプレートの後端部に切欠開口部を設けており、この切欠開口部に後方の脚を挿入して連結すると共に、前方の脚をベースプレートの上面に固定金具で連結し、あるいは、ベースプレートの前部の側縁に設けた切欠開口部に前方の脚を挿入して連結しているからである。この構造の転倒防止装置は、
【００２０】
とくに、本発明の特筆すべき特長は、自動販売機の後方の脚を持ち上げることなくベースプレートを自動販売機の下方に敷設できることである。本発明の転倒防止装置は、ベースプレートの後端部に切欠開口部を開口しているので、自動販売機の後方の脚を据付面から離すことなく、この切欠開口部から脚を挿入してベースプレートに連結できる。
【００２１】
たとえば、本発明の請求項１の転倒防止装置は、自動販売機の後方を持ち上げることなく、前方のみを持ち上げる状態、すなわち、自動販売機を後方に傾斜させる姿勢として据付面上にベースプレートを敷設できる。一般に自動販売機は、例外なく背面に放熱用の部品を備えているので、この部分で効率よく放熱するために、背面側に隙間を設ける状態で設置される。したがって、設置された自動販売機は、この隙間の分だけ後方に傾斜させることができる。本発明の転倒防止装置は、自動販売機を後方に傾斜させることによって前方の脚を浮かせて、極めて簡単に前方の脚の下方にベースプレートを敷設できる。
【００２２】
さらに、本発明の請求項１の転倒防止装置は、自動販売機の前方の脚をベースプレートの前部の上面に載せた状態で、この脚を固定金具でベースプレートに固定するので、前方の脚とベースプレートとの連結位置を正確に位置決めすることなく、極めて簡単に前方の脚をベースプレートに連結できる。さらに、この転倒防止装置は、前方の脚をベースプレートの上面に載せているので、自動販売機が前方に転倒しようとすると、この力が前方の脚を介してベースプレートに作用し、前方の脚がベースプレートを据付面方向に押す状態となり、いいかえると自動販売機の自重によって前方への転倒が阻止される。したがって、この構造の転倒防止装置は、簡単かつ容易に自動販売機の下方にベースプレートを設置しながら、自動販売機の転倒を確実に防止できる特長が実現できる。
【００２３】
さらに、本発明の請求項２の転倒防止装置は、ベースプレートの前部の側縁に切欠開口部を設けており、この切欠開口部に前方の脚を挿入して連結するので、ベースプレートを敷設するときに自動販売機を持ち上げることなく、極めて効率よく作業できる特長がある。したがって、この構造の転倒防止装置も、簡単かつ容易に自動販売機の下方にベースプレートを設置しながら、自動販売機の転倒を確実に防止できる特長が実現できる。
【００２４】
さらに、本発明の請求項３の転倒防止装置は、切欠開口部をスリット部と嵌入部とで構成し、スリット部を、脚のネジ部を通過できるが角柱部を通過できない開口幅とし、嵌入部を、角柱部を通過できるが支持プレート部を通過できない内形としているので、嵌入部に嵌入された角柱部で脚の連結位置を位置決めしながら、脚を位置ずれしないように確実にベースプレートに連結できる特長がある。この構造の転倒防止装置は、脚がベースプレートに対して前後左右に移動するのを防止できるので、地震発生時においても、脚をベースプレートに確実に連結させて、自動販売機を安定して支持できる特長がある。
【００２５】
さらに、本発明の請求項４の転倒防止装置は、切欠開口部に複数の嵌入部を設けているので、脚の角柱部を嵌入する位置を変更することによって、ベースプレートと脚との連結位置を簡単に変更できる特長がある。この転倒防止装置は、自動販売機のサイズや設置条件に応じて、ベースプレートと脚の連結位置を簡単に変更できる特長がある。
【００２６】
さらに、本発明の請求項５の転倒防止装置は、切欠開口部の下面に支持プレート部を収納する凹部を設けているので、この凹部に支持プレート部を収納して、脚とベースプレートとの連結位置を正確に位置決めできる特長がある。さらに、この構造は、凹部の深さを調整して、支持プレート部の下面とベースプレートの下面とを同一平面とすることもできる。
【発明を実施するための最良の形態】
【００２７】
以下、本発明の実施例を図面に基づいて説明する。ただし、以下に示す実施例は、本発明の技術思想を具体化するための転倒防止装置を例示するものであって、本発明は転倒防止装置を以下のものに特定しない。
【００２８】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２９】
本発明の自動販売機の転倒防止装置は、底面の四隅にボルト状の脚が連結された自動販売機の前後の脚を、自動販売機が設置される据付面に敷設されるベースプレートに連結して自動販売機の転倒を防止する。一般に、自動販売機の四隅に設けられる脚はレベル調節ネジで、自動販売機の底面へねじ込む量でその高さを調整する。レベル調節ネジである脚は、図３に示すように、自動販売機１の底面にねじ込まれるネジ部２Ａと、このネジ部２Ａの下端に設けられて、脚２にかかる荷重を支持する支持プレート部２Ｂとを備える。下端の支持プレート部２Ｂは、ネジ部２Ａに対して垂直な板状で、下面の面積を大きくして接地圧を小さくしている。さらに、レベル調節ネジである脚２は、ネジ部２Ａを回転させるために、ネジ部２Ａと支持プレート部２Ｂとの境界部分に角柱部２Ｃを備えている。この構造の脚２は、角柱部２Ｃをスパナ等の工具で回してネジ部２Ａのねじ込み量を調節し、自動販売機１の底面の四隅の高さを調整する。図の脚２は、角柱部２Ｃの外形をネジ部２Ａの外径よりも大きくし、支持プレート部２Ｂの外形を角柱部２Ｃの外形よりも大きくしている。さらに、図に示す脚２は、角柱部２Ｃの外形を六角形とし、支持プレート部２Ｂの外形を円形としている。ただ、角柱部は、六角形以外の多角形状とすることができ、また、支持プレート部も円形以外の形状とすることができる。
【００３０】
図３ないし図７に示す転倒防止装置は、本発明の第１の実施例であって、自動販売機１の据付面３に敷設されるベースプレート４と、このベースプレート４に連結されて自動販売機１の前方の脚２を固定する固定金具５とを備える。
【００３１】
ベースプレート４は、鉄板を所定の幅と長さに切断したものである。ベースプレート４は、自動販売機１の前後方向に延長して配置される。ベースプレート４の長さは、自動販売機１が前方に転倒するのを防止できるように、自動販売機１の背面から前面までの長さよりも長くしている。このベースプレート４は、一端を自動販売機１の背面側に位置させて、この端部に後方の脚２を連結し、他端を自動販売機１の前方に突出する状態で据付面３に敷設される。このベースプレート４は、前方に突出する突出部４Ａによって、自動販売機１が前方へ転倒するのを阻止する。ベースプレート４は、突出部４Ａの長さを、自動販売機１の前後に位置する脚の間隔の０．１〜１倍、好ましくは、０．２〜０．５倍の長さとすることができる。たとえば、前後の脚２の間隔が７３０ｍｍである自動販売機１は、ベースプレート４の突出部４Ａを７０〜５００ｍｍ、好ましくは１５０〜３５０ｍｍとして自動販売機１の前方への転倒を有効に防止できる。
【００３２】
さらに、ベースプレート４は、後述するが、後端部に設ける切欠開口部６の深さや位置を調整して、後端部を自動販売機１の後方に突出させることもできる。このベースプレート４は、図８に示すように、自動販売機１の背面から突出する後方突出部４Ｂの長さを、その先端が自動販売機１の背面側に位置する壁等の障害物に当接しない程度とすることができる。後方突出部４Ｂの長さは、たとえば、２００ｍｍ以下、好ましくは１００ｍｍ以下とすることができる。このように、後方にも突出するベースプレート４は、自動販売機１をより安定して支持できる特長がある。
【００３３】
ベースプレート４の幅は、自動販売機１の脚２を十分に支持できると共に、自動販売機１が転倒する方向に力が作用したときにベースプレート４が曲がったり、折れたりしない十分な幅とすることができる。たとえば、ベースプレート４の幅は、５〜４０ｃｍ、好ましくは、１０〜３０ｃｍとすることができる。ただ、後述するが、２台の自動販売機を支持する用途に使用するベースプレートは、２０〜６０ｃｍの幅とすることもできる。
【００３４】
さらに、ベースプレート４は、その厚さを５ないし２０ｍｍ、好ましくは、７〜１５ｍｍとすることができる。厚いベースプレートは、自動販売機が転倒する方向に力が作用したときに、曲がったり折れたりするのを有効に防止できる。また、ベースプレート全体の重量を大きくできるので、自動販売機に連結した状態で、全体の重心を低くして自動販売機を転倒し難くできる。逆に、薄いベースプレートは、前方の突出部の段差を小さくして、つまずき難くできる。したがって、ベースプレートの厚さは、これらのことを考慮して前述の範囲とする。
【００３５】
ベースプレート４は、自動販売機１の後方に配置される後端部に自動販売機１の脚２を挿入して連結する切欠開口部６を設けている。切欠開口部６は、ベースプレート４の外周縁から中央部分に向かって切欠して設けた開口部である。図に示すベースプレート４は、後端縁に開口部を有する切欠開口部６を設けている。
【００３６】
図６の切欠開口部６は、開口端縁から直線状に設けたスリット部６Ａと、このスリット部６Ａの先端に設けた円形の嵌入部６Ｂとを備えている。スリット部６Ａの幅（Ｗ）は、嵌入部６Ｂの直径（Ｄ）よりも小さくしている。この形状の切欠開口部６は、スリット部６Ａの幅（Ｗ）を、ネジ部２Ａの外径よりも多少大きくすると共に、角柱部２Ｃの最小外径よりも小さくして、ネジ部２Ａを挿通できるが角柱部２Ｃを通過できない幅としている。さらに、嵌入部６Ｂの直径（Ｄ）を、角柱部２Ｃの最大外径よりも多少大きくすると共に、支持プレート部２Ｂの最小外径よりも小さくして、角柱部２Ｃを挿入できるが支持プレート部２Ｂを通過できない大きさとしている。この形状の切欠開口部６は、ネジ部２Ａをスリット部６Ａに通過させながら、脚２を切欠開口部６に挿通し、嵌入部６Ｂに角柱部２Ｃを嵌入させる状態で挿入して、脚２をベースプレート４の所定の位置に連結する。
【００３７】
切欠開口部６の深さ（Ｌ）は、脚２をベースプレート４の切欠開口部６に案内して確実に連結できる長さとすることができる。ただ、自動販売機１の設置状態によっては、自動販売機１の背面側に十分な隙間がある場合もある。このようなときには、図８に示すように、切欠開口部６の深さをより深くし、後方の脚２をベースプレート４の中央側に位置させて連結することによって、自動販売機１をより安定して支持できる。この切欠開口部６は、たとえば、図９に示すように、複数の嵌入部６Ｂを設けて、これらを直線状のスリット部６Ａで連結する構造とすることができる。この構造の切欠開口部６は、脚２の角柱部２Ｃが所望の位置の嵌入部６Ｂに到達するまで、ネジ部２Ａをスリット部６Ａに通過させて、脚２の連結位置を簡単に変更できる。図９に示す切欠開口部６は、２つの嵌入部６Ｂを設けて、これらの嵌入部６Ｂをスリット部６Ａで連結している。ただ、切欠開口部６は、図９の鎖線で示すように、嵌入部６Ｂを３つとすることも、図示しないが４つ以上とすることもできる。
【００３８】
さらに、ベースプレート４は、図１０と図１１に示すように、嵌入部６Ｂの下面に位置して、脚２の支持プレート部２Ｂを収納する凹部７を設けることができる。この凹部７は、支持プレート部２Ｂを嵌入できる外形と深さとすることができる。このように下面に支持プレート部２Ｂを収納する凹部７を備えるベースプレート４は、角柱部２Ｃを嵌入部６Ｂに挿入した状態で、支持プレート部２Ｂの下面とベースプレート４の下面とを同一平面にできるので、ベースプレート４の下面を据付面３に密着する状態で敷設できる。図に示す凹部７は、嵌入部６Ｂの下面に位置して、嵌入部６Ｂと同心の円形状に設けている。したがって、角柱部２Ｃを嵌入部６Ｂで位置決めし、支持プレート部２Ｂを凹部７で位置決めして、脚２を正確な位置に、確実に連結できる。ただ、凹部は、図示しないが、切欠開口部の下面の全体にわたって、すなわち、スリット部の下面にも設けることができる。
【００３９】
さらに、図１０と図１１に示すベースプレート４は、切欠開口部６の開口端縁部の下面側を傾斜面８としている。この構造の切欠開口部６は、脚２の下部である角柱部２Ｃの上面を傾斜面８に沿って移動させて、ネジ部２Ａをスムーズにスリット部６Ａに案内できる特長がある。
【００４０】
以上の図に示すベースプレート４は、後端縁に切欠開口部６を設けている。ただ、切欠開口部６は、図１２に示すように、ベースプレート４の側縁に設けることもできる。側縁に開口される切欠開口部６は、図の鎖線で示すように、複数の切欠開口部６を前後に離して設けることができる。さらに、側縁に開口される切欠開口部は、図示しないが、複数の嵌入部を前後に設けて、これらをスリット部で連結する構造とすることもできる。これらの構造のベースプレート４も、後方の脚２の連結位置を簡単に変更できる。
【００４１】
さらに、図５に示すベースプレート４は、下面に弾性プレート９を配設している。弾性プレート９は、たとえば、ゴムマットやプラスチックシート等の弾性を有するマットやシートである。この弾性プレート９は、ベースプレート４を据付面３に密着させて、ベースプレート４と据付面３との摩擦抵抗を大きくしてベースプレート４がずれるのを防止している。さらに、ベースプレート４の下面に弾性プレート９を配設することによって、据付面３の微細な凹凸や段差を吸収してベースプレート４のガタツキ等を防止している。図に示すベースプレート４は、下面の複数箇所に弾性プレート９を固定しているが、弾性プレートは、ベースプレートの下面の前面に設けることもできる。
【００４２】
固定金具５は、挟着プレート１０と、この挟着プレート１０をベースプレート４に連結して固定する連結ネジ１１を備える。この固定金具５は、挟着プレート１０とベースプレート４とで支持プレート部２Ｂを挟着して、前方の脚２を所定の位置に保持する。
【００４３】
挟着プレート１０は、一端縁に開口部１２を設けている。この開口部１２は、脚２のネジ部２Ａを通過させるスリット部１２Ａと、脚２の角柱部２Ｃを嵌入する嵌入部１２Ｂとを備えている。この挟着プレート１０は、嵌入部６Ｂに角柱部２Ｃを嵌入して、脚２を開口部１２から抜けないように所定の位置に連結する。さらに、挟着プレート１０は、下方に脚２の支持プレート部２Ｂを配設する凹部１３を設けている。この構造の挟着プレート１０は、開口部１２のスリット部１２Ａにネジ部２Ａを案内しながら、嵌入部１２Ｂで角柱部２Ｃを位置決めし、さらに、下面の凹部１３に支持プレート部２Ｂを配設する状態でベースプレート４の上面に連結されて、脚２をベースプレート４に連結する。
【００４４】
さらに、挟着プレート１０は、連結ネジ１１を挿通する貫通孔１４を開口している。図の貫通孔１４は長孔で、連結ネジ１１の挿通位置を調整できるようにしている。ベースプレート４には、挟着プレート１０を貫通する連結ネジ１１が挿入されるネジ孔１５を設けている。挟着プレート１０は、貫通孔１４に挿通された連結ネジ１１をベースプレート４に設けたネジ孔１５にねじ込んでベースプレート４に連結される。図に示すベースプレート４は、自動販売機２の前方の脚２に対向する部分であって、前後方向に離して複数のネジ孔１５を設けている。このように、複数のネジ孔１５を有するベースプレート４は、最適な位置のネジ孔１５を選択して連結ネジ１１を連結できる。とくに、挟着プレート１０の貫通孔１４を長孔とすることにより、挟着プレート１０の位置を微調整しながらベースプレート４に連結できる。この構造は、前後の長さが異なる種々の自動販売機に対応して、全ての自動販売機の前方の脚を確実にベースプレートに連結して固定できる。
【００４５】
以上の構造の転倒防止装置は、以下のようにして自動販売機１に設置されて自動販売機１の転倒を防止する。
(1)  自動販売機１を所定の位置に運搬して据付面３に配置する。
(2)  自動販売機１の前方を持ち上げて、前方の脚２を据付面３から離す。このとき、たとえば、テコの棒等の簡易な工具を使用して、自動販売機１を後方に傾斜させて前方を据付面３から浮かすことができる。持ち上げられた前方の下面にくさび等を差し込んで、自動販売機１の前方の脚２を据付面３から離した状態に保持できる。ただ、この工程において、自動販売機の前方は、他の工具や機材を使用して持ち上げることもできる。
(3)  ベースプレート４を自動販売機１の左右の片側の下方に挿入して、後端部の切欠開口部６に自動販売機１の後方の脚２を挿通する。このとき、脚２は、切欠開口部６の所定の位置まで挿通されて、嵌入部６Ｂに角柱部２Ｃを連結させる。
ただ、(2)と(3)の工程は、順序を逆とすることもできる。
(4)  ベースプレート４の前部を、自動販売機１の前方の脚２の下面に位置させる。
(5)  (3)と(4)の作業を左右両側の脚２に対して行う。この状態で２枚のベースプレート４が、図７の平面図に示すように、自動販売機１の下方に配置される。
(6)  自動販売機１の前方を降下させて、自動販売機１の前方の脚２をベースプレート４の上面に降下させる。この状態で自動販売機１は、左右の前方の脚２が、左右のベースプレート４の上面に配置される。
(7)  さらに、この状態で前方の脚２の角柱部２Ｃを回して自動販売機１の底面の水平位置を調整する。ただ、この工程は、自動販売機１の前方の脚２をベースプレート４の上面に降下させる前の工程として行うことも、自動販売機１を据付面３に設置する前工程として行うこともできる。
(8)  ベースプレート４の上面に配置された脚２に固定金具５を固定する。固定金具５は、挟着プレート１０の切欠開口部６に脚２を挿通した後、挟着プレート１０を連結ネジ１１でベースプレート４にねじ込んで、挟着プレート１０とベースプレート４とで脚２の支持プレート部２Ｂを挟着して固定する。
自動販売機１の左右両方の前方の脚２を、固定金具５でベースプレート４に固定する。
【００４６】
さらに、既設の自動販売機１の下面に転倒防止装置を設置するときは、上述の(2)〜(8)の工程によって設置できる。
【００４７】
以上の構造の転倒防止装置は、自動販売機１を完全に持ち上げることなく、前方のみを持ち上げることによって、四隅の脚２にベースプレート４を連結して、極めて簡単に設置できる。
【００４８】
さらに、本発明の転倒防止装置は、以下に示す構造とすることもできる。
図１３と図１４に示す転倒防止装置は、本発明の第２の実施例であって、自動販売機１の据付面３に敷設されるベースプレート４の後端部と前部とに切欠開口部６を設けている。後端部の切欠開口部６は、前述のベースプレート４と同様に、後端縁に開口し、あるいは側縁部に開口して設けることができる。さらに、この実施例のベースプレート４は、前部の側縁にも切欠開口部６を設けている。この実施例において、ベースプレート４の後端部と前部の側縁に設けられる切欠開口部６は、前述の第１の実施例に設ける切欠開口部６と同じ構造とすることができる。この構造のベースプレート４は、後端部の切欠開口部６に後方の脚２を挿通して連結し、前方の切欠開口部６に前方の脚２を挿通して連結する。
【００４９】
ベースプレート４は、図１４の鎖線で示すように、後端部の切欠開口部６の嵌入部６Ｂを長円形として前後方向の連結位置を微調整することもできる。このベースプレート４は、前方の切欠開口部６で前方の脚２の連結位置を位置決めしながら、所定の位置に敷設できる。ただ、ベースプレートは、図の実線で示すように、後端部の切欠開口部６を、後方の脚を位置決めできる構造とし、前方の切欠開口部の嵌入部を、図の一点鎖線で示すように、前後方向に延長してなる長円形として、前方の脚の前後方向の連結位置を微調整することもできる。
【００５０】
図１３に示す転倒防止装置は、前方の脚２をベースプレート４に連結して固定するために、前方の脚２に挟着リング１７を挿通している。挟着リング１７は、前方の脚２のネジ部２Ａにねじ込まれており、これを回転させて上下に移動できるようにしている。挟着リング１７は、少なくとも外周形状の一部を角柱状としており、この角柱部１７Ａをスパナ等の工具で回転させて上下に移動できるようにしている。このベースプレート４は、前方の切欠開口部６に前方の脚２を挿通した状態、すなわち、嵌入部６Ｂに角柱部２Ｃを嵌入した状態で、挟着リング１７を回転させて降下させ、挟着リング１７と支持プレート部２Ｂとでベースプレート４を挟着して、前方の脚２をベースプレート４に固定する。
【００５１】
さらに、挟着リングは、図示しないが、下面の中央部に脚の角柱部を案内する凹部を設けてることもできる。この形状の挟着リングは、角柱部がベースプレートの上面から突出する構造の脚であっても、支持プレート部と挟着リングとでベースプレートを確実に挟着して前方の脚をベースプレートに連結できる。この挟着リングは、外周部をベースプレートの上面に圧着させて、支持プレート部と挟着リングとでベースプレートを挟着して、前方の脚をベースプレートに固定する。さらに、図示しないが、挟着リングを固定金具でベースプレートに固定して、挟着リングが緩むのを防止することもできる。この固定金具には、前述の固定金具と同じ構造のものが使用できる。
【００５２】
以上の構造の転倒防止装置は、以下のようにして自動販売機１に設置されて自動販売機１の転倒を防止する。
(1)  自動販売機１を所定の位置に運搬して据付面３に設置する。このとき、自動販売機１の前方の脚２には、予め挟着リング１７を挿通しておく。
(2)  ベースプレート４を自動販売機１の左右の片側の下方に挿入して、後端部の切欠開口部６に自動販売機１の後方の脚２を挿通する。このとき、脚２は、切欠開口部６の所定の位置まで挿通されて、嵌入部６Ｂに角柱部２Ｃを連結させる。
(3)  さらに、ベースプレート４の前方の切欠開口部６に、自動販売機１の前方の脚２を挿通する。このとき、前方の脚２は、切欠開口部６の所定の位置まで挿通されて、嵌入部６Ｂに角柱部２Ｃを連結させる。
(4)  前方の脚２に挿通している挟着リング１７を回して降下させる。挟着リング１７と支持プレート部２Ｂとでベースプレート４を挟着して前方の脚２をベースプレート４に固定する。
さらに、挟着リングを固定金具でベースプレートに固定することもできる。
(5)  (2)〜(4)の作業を左右両側の脚２に対して行う。
【００５３】
この構造の転倒防止装置は、ベースプレート４を設置するときに自動販売機１を持ち上げることなく作業できる特長がある。
【００５４】
さらに、本発明の転倒防止装置は、図１５に示すように、並設される２台の自動販売機１の間に１枚のベースプレート４を敷設して、２台の自動販売機１の隣り合う脚２を１枚のベースプレート４に連結することもできる。この転倒防止装置は、たとえば、図に示すように、ベースプレート４の後端部の両側に切欠開口部６を設け、並設される各自動販売機１の後方の脚２を各切欠開口部６に挿入して連結する。さらに、各自動販売機１の前方の脚２を、固定金具５を介してベースプレート４の前部の上面に固定する。したがって、このベースプレート４は、前部の両側部に固定金具５の連結ネジをねじ込むネジ孔１５を設けている。
【００５５】
この構造の転倒防止装置は、１枚のベースプレートを２台の自動販売機に共有しながら配置できるので、ベースプレートの数を少なくしながら複数の自動販売機を並設できる特長がある。この転倒防止装置は、たとえば、２台の自動販売機に使用するときには、３枚のベースプレートで、また、３台の自動販売機に使用するときには、４枚のベースプレートで設置できる。
【図面の簡単な説明】
【００５６】
【図１】従来の転倒防止装置の使用状態を示す垂直断面図である。
【図２】従来の転倒防止板の一例を示す斜視図である。
【図３】本発明の第１の実施例にかかる転倒防止装置の分解斜視図である。
【図４】図３に示す転倒防止装置の装着状態を示す斜視図である。
【図５】図３に示す転倒防止装置の使用状態を示す一部拡大垂直断面図である。
【図６】図４に示す転倒防止装置の切欠開口部の拡大斜視図である。
【図７】図３に示す転倒防止装置の使用状態を示す平面図である。
【図８】ベースプレートの他の一例を示す図であって、その使用状態を示す垂直断面図である。
【図９】図８に示すベースプレートの平面図である。
【図１０】ベースプレートの切欠開口部の他の一例を示す底面斜視図である。
【図１１】図１０に示すベースプレートの使用状態を示す拡大断面図である。
【図１２】ベースプレートの他の一例を示す平面図である。
【図１３】本発明の第２の実施例にかかる転倒防止装置の使用状態を示す一部拡大垂直断面図である。
【図１４】図１３に示す転倒防止装置のベースプレートの平面図である。
【図１５】ベースプレートの他の一例を示す図であって、その使用状態を示す平面図である。
【符号の説明】
【００５７】
１…自動販売機
２…脚                  ２Ａ…ネジ部
２Ｂ…支持プレート部
２Ｃ…角柱部
３…据付面
４…ベースプレート      ４Ａ…突出部
４Ｂ…後方突出部
５…固定金具
６…切欠開口部          ６Ａ…スリット部
６Ｂ…嵌入部
７…凹部
８…傾斜面
９…弾性プレート
１０…挟着プレート
１１…連結ネジ
１２…開口部            １２Ａ…スリット部
１２Ｂ…嵌入部
１３…凹部
１４…貫通孔
１５…ネジ孔
１７…挟着リング        １７Ａ…角柱部
２１…自動販売機
２２…脚
２３…据付面
２４…転倒防止用鉄板    ２４Ａ…突出部
２５…固定金具
３２…着地部材          ３２Ａ…ねじ軸部
３４…防止板本体
３５…長孔
３６…透孔
３７…凹部
【図１】
2006178523.tif 000003
【図２】
2006178523.tif 000004
【図３】
2006178523.tif 000005
【図４】
2006178523.tif 000006
【図５】
2006178523.tif 000007
【図６】
2006178523.tif 000008
【図７】
2006178523.tif 000009
【図８】
2006178523.tif 000010
【図９】
2006178523.tif 000011
【図１０】
2006178523.tif 000012
【図１１】
2006178523.tif 000013
【図１２】
2006178523.tif 000014
【図１３】
2006178523.tif 000015
【図１４】
2006178523.tif 000016
【図１５】
2006178523.tif 000017